(57)【要約】    【課題】  良好な施工性、耐熱性及び止水性を有し、湿式と乾式のいずれの型式にも使用可能な連結送水管用継手を提供することである。    【解決手段】  連結しようとする送水管（Ｐ1 、Ｐ2 ）の端部の外周にそれぞれ固定されるコア（１２）と、各送水管の端部の外周の間に配置される金属製リング（１４）と、各送水管の端部のコア及びリングを被覆するように配置され、互いに組み合わせることによって環状体を形成するようになった複数個のハウジング部分（１６ａ）によって構成されるハウジング（１６）とを備え、各ハウジング部分同士を接続しているボルト／ナット（１８）を締め付けると、各ハウジング部分によって形成される環状体の内径が狭められ、各ハウジング部分の内面に設けられている凹部（２０）の面がコアを押し、次いでコアがリングを押して、リングの内周面を送水管の端部の外周に押し付けるように構成されている。【選択図】  図１
2006125524.tif 000002
【特許請求の範囲】
【請求項１】
２本の送水管を連結するための連結送水管用継手であって、
連結しようとする送水管の端部の外周にそれぞれ固定されるコアと、
前記各送水管の端部の外周の間に配置される金属製リングと、
前記各送水管の端部の前記コア及び前記リングを被覆するように配置され、互いに組み合わせることによって環状体を形成するようになった複数個のハウジング部分によって構成されるハウジングとを備え、
前記各ハウジング部分同士を接続しているボルト／ナットを締め付けると、前記各ハウジング部分によって形成される環状体の内径が狭められ、前記各ハウジング部分の内面に設けられている凹部の面が前記コアを押し、次いで前記コアが前記リングを押して、前記リングの内周面を前記送水管の端部の外周に押し付けるように構成されていることを特徴とする継手。
【請求項２】
前記コアが、外周面と、前記送水管の外径より僅かに大きな内径をもつ第１内周面と、前記第１内周面に隣接して設けられ、前記第１内周面よりも大きな内径をもつ第２内周面と、前記外周面から前記第１内周面に向かって前記第２内周面から遠去かる方へ角度α傾斜して形成された第１端面と、前記外周面から前記第２内周面に向かって前記第１内周面に接近する方へ角度β傾斜して形成された第２端面とを有しており、
前記リングが、外周面と、前記送水管の外径より僅かに大きな内径をもつ内周面と、前記内周面から前記外周面に向かって角度βをなして互いに収束するように傾斜して形成された第１端面及び第２端面とを有しており、
前記ハウジング部分の前記凹部が、台形状の断面を有し、前記凹部の傾斜面が、前記凹部の底面からハウジング部分の内面に向かって角度αをなして互いに発散するように傾斜して形成されていることを特徴とする請求項１に記載の継手。
【発明の詳細な説明】
【技術分野】
【０００１】
本発明は、２本の送水管を連結するための連結送水管用継手に関する。
【背景技術】
【０００２】
火災時に消防ポンプ自動車からホースを運び入れるのが困難である高層建築物やアーケードにおいて、建築物等の外部から消防ポンプ自動車によって送水して消火活動を行う設備である連結送水管が知られている。現在のところ、このような連結送水管は、ＪＩＳ規格（ＪＩＳ  Ｂ２２３８、Ｂ２２３９、Ｂ２２２０、Ｂ２３０１、Ｂ２３１１、及びＢ２３１２）に適合し、又はこれと同等以上の強度、耐蝕性及び耐熱性を有するものとする、と規定されている。
【０００３】
一方、連結送水管は、湿式と乾式の２種類に分類される。このうち前者の湿式連結送水管は、使用が義務づけられている方式であり、送水管内が常時充水していることを特徴としている。これに対し、後者の乾式連結送水管は、主として寒冷地で使用されている方式であり、凍結防止のため、送水管内に常時水はなく、消防車の放水用ホースからの消防用水のみを送水管に供給することを特徴としている。
【発明の開示】
【発明が解決しようとする課題】
【０００４】
しかしながら、ＪＩＳ規格品であるねじ込み式継手は、管にねじを設けた後にフランジをねじ込む必要があり、また、フランジ式継手は、管にフランジを溶接する必要があるという課題がある。また、管の口径が大きくなると、現場でフランジのねじ込みや溶接を行うのは、作業性が悪いという課題もある。
【０００５】
また、ＪＩＳ同等品のハウジング形継手は、現場での施工性は良いが、ガスケットがゴム製であるため耐熱性に乏しく、寒冷地で使用する乾式連結送水管の場合には、火災発生時から送水までの間にガスケットが熱変形し漏水することがある。このような課題を解消するために、金属製のガスケットを使用したハウジング形継手もあるが、地震等で管があおられると漏水するという課題がある。
【０００６】
本発明は、このような状況に鑑みて開発されたものであって、良好な施工性、耐熱性及び止水性を有し、湿式と乾式のいずれの型式にも使用可能な連結送水管用継手を提供することを目的としている。
【課題を解決するための手段】
【０００７】
本願請求項１に記載された連結送水管用継手は、連結しようとする送水管の端部の外周にそれぞれ固定されるコアと、前記各送水管の端部の外周の間に配置される金属製リングと、前記各送水管の端部の前記コア及び前記リングを被覆するように配置され、互いに組み合わせることによって環状体を形成するようになった複数個のハウジング部分によって構成されるハウジングとを備え、前記各ハウジング部分同士を接続しているボルト／ナットを締め付けると、前記各ハウジング部分によって形成される環状体の内径が狭められ、前記各ハウジング部分の内面に設けられている凹部の面が前記コアを押し、次いで前記コアが前記リングを押して、前記リングの内周面を前記送水管の端部の外周に押し付けるように構成されていることを特徴とするものである。
【０００８】
本願請求項２に記載された連結送水管用継手は、前記請求項１の継手において、前記コアが、外周面と、前記送水管の外径より僅かに大きな内径をもつ第１内周面と、前記第１内周面に隣接して設けられ、前記第１内周面よりも大きな内径をもつ第２内周面と、前記外周面から前記第１内周面に向かって前記第２内周面から遠去かる方へ角度α傾斜して形成された第１端面と、前記外周面から前記第２内周面に向かって前記第１内周面に接近する方へ角度β傾斜して形成された第２端面とを有しており、前記リングが、外周面と、前記送水管の外径より僅かに大きな内径をもつ内周面と、前記内周面から前記外周面に向かって角度βをなして互いに収束するように傾斜して形成された第１端面及び第２端面とを有しており、前記ハウジング部分の前記凹部が、台形状の断面を有し、前記凹部の傾斜面が、前記凹部の底面からハウジング部分の内面に向かって角度αをなして互いに発散するように傾斜して形成されていることを特徴とするものである。
【発明の効果】
【０００９】
本発明の連結送水管用継手により、送水管の連結を容易に行うことができる。また、耐熱性に優れた金属製リングを使用しているため、湿式と乾式のいずれの型式にも使用することができる。さらに、金属製リングの内周面が送水管の端部の外周に接しているので、送水管に地震力等が作用しても、漏水するおそれがなく、止水性に優れている。
【発明を実施するための最良の形態】
【００１０】
次に、図面を参照して、本発明の好ましい実施の形態に係る連結送水管用継手について詳細に説明する。図１は、本発明の連結送水管用継手によって連結された送水管を示した平面図、図２（ａ）は、図１の線２ａ−２ａに沿って見た断面図である。図１及び図２（ａ）において全体として参照符号１０で示される本発明の好ましい実施の形態に係る連結送水管用継手は、連結しようとする送水管Ｐ1 、Ｐ2 の端部の外周にそれぞれ固定されるコア１２を備えている。送水管Ｐ1 、Ｐ2 の端部へのコア１２の固定は、溶接によって行われる。
【００１１】
コア１２は、金属材料で形成された、全体として環状の部材である。コア１２は、図３（ｂ）に最も良く示されるように、外周面１２ａと、送水管Ｐ1 、Ｐ2 の外径より僅かに大きな内径をもつ第１内周面１２ｂと、第１内周面１２ｂに隣接して設けられ、第１内周面１２ｂよりも大きな内径をもつ第２内周面１２ｃと、外周面１２ａから第１内周面１２ｂに向かって第２内周面１２ｃから遠去かる方へ角度α傾斜して形成された第１端面１２ｄと、外周面１２ａから第２内周面１２ｃに向かって第１内周面１２ｂに接近する方へ角度β傾斜して形成された第２端面１２ｅとを有している。第１端面１２ｄ及び第２端面１２ｅは、円錐面をそれぞれ形成する。
【００１２】
連結送水管用継手１０は又、送水管Ｐ1 の端部の外周と送水管Ｐ2 の端部の外周との間に配置されるリング１４を備えている。リング１４は、金属材料で形成された、全体として環状の部材である。リング１４は、図４（ｂ）に最も良く示されるように、外周面１４ａと、送水管Ｐ1 、Ｐ2 の外径より僅かに大きな内径をもつ内周面１４ｂと、内周面１４ｂから外周面１４ａに向かって角度βをなして互いに収束するように傾斜して形成された第１端面１４ｃ及び第２端面１４ｄとを有している。第１端面１４ｃ及び第２端面１４ｄは、円錐面をそれぞれ形成する。
【００１３】
連結送水管用継手１０は更に、送水管Ｐ1 、Ｐ2 の端部のコア１２及びリング１４を被覆するように配置されるハウジング１６を備えている。ハウジング１６は、互いに組み合わせることによって環状体を形成するようになった複数個（図１では、３個）のハウジング部分１６ａによって構成されており、隣接するハウジング部分１６ａ同士をボルト／ナット１８で締め付けることができるようになってる。
【００１４】
環状体を形成する各ハウジング部分１６ａの内面には、台形状の断面を有する凹部２０が設けられている。凹部２０の傾斜面２０ａ、２０ｂは、コア１２及びリング１４を被覆したとき、コア１２の第１端面１２ｄに接するように、凹部２０の底面２０ｃからハウジング部分１６ａの内面に向かって角度αをなして互いに発散するように傾斜して形成されている（図２（ｃ）参照）。
【００１５】
次に、図５を参照して、以上のように構成された連結送水管用継手１０の使用について説明する。まず、連結しようとする送水管Ｐ1 、Ｐ2 の端部の外周にコア１２を溶接する（図５（ａ）参照）。次いで、送水管Ｐ1 の端部の外周と送水管Ｐ2 の端部の外周との間にリング１４を配置し（図５（ｂ）参照）、送水管Ｐ1 、Ｐ2 の端部のコア１２及びリング１４を被覆するようにハウジング１６を配置する（図５（ｃ）参照）。しかる後、各ハウジング部分１６ａ同士を接続しているボルト／ナット１８を締め付ける。すると、各ハウジング部分１６ａによって形成される環状体の内径が狭められて、凹部２０の傾斜面２０ａ、２０ｂがコア１２の第１端面１２ｄを押し、これによりコア１２の第２端面１２ｅがリング１４の第１端面１４ｃ及び第２端面１４ｄを押して、リング１４の内周面１４ｂが送水管Ｐ1 、Ｐ2 の端部の外周に押し付けられる。このようにして、送水管Ｐ1 、Ｐ2が連結される。
【００１６】
図６は、本発明の連結送水管用継手１０の使用例を示した図である。図６に示される例では、連結送水管用継手１０が、７階建ての建築物の地階から屋上まで延びる送水管の継手として用いられている。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態では、３分割されたハウジング部分１６ａが示されているが、３分割以外の個数に分割したハウジング部分を用いてもよい。
【図面の簡単な説明】
【００１９】
【図１】本発明の連結送水管用継手によって連結された送水管を示した平面図である。
【図２】図２（ａ）は、図１の線２ａ−２ａに沿って見た断面図、図２（ｂ）は、図２（ａ）の部分２ｂの拡大図、図２（ｃ）は、ハウジングの凹部を示した図である。
【図３】図３（ａ）は、連結送水管用継手の構成部材であるコアが送水管の端部の外周に固定されている状態を示した断面図、図３（ｂ）は、図３（ａ）の部分３ｂの拡大図である。
【図４】図４（ａ）は、連結送水管用継手の構成部材であるリングの断面図、図４（ｂ）は、図４（ａ）の部分４ｂの拡大図である。
【図５】本発明の連結送水管用継手の使用に関する一連の手順を示した図である。
【図６】本発明の連結送水管用継手の使用例を示した図である。
【符号の説明】
【００２０】
１０  連結送水管用継手
１２  コア
１４  リング
１６  ハウジング
１８  ボルト／ナット
２０  凹部
【図１】
2006125524.tif 000003
【図２】
2006125524.tif 000004
【図３】
2006125524.tif 000005
【図４】
2006125524.tif 000006
【図５】
2006125524.tif 000007
【図６】
2006125524.tif 000008